(57)【要約】      （修正有）【課題】スリーブと中空環が、取り外しと結合可能な構造を有し、様々な用途に応用できる取り外し可能な締め付け装置を提供する。【解決手段】スリーブ２００、中空環３００及び位置決め機構４００を含む取り外し可能な締め付け装置であって、スリーブは外嵌合座２１０及び少なくとも一つの第１凹部２４０を含み、第１凹部は外嵌合座に位置し、中空環とスリーブは取り外し可能に連結され、中空環は、内嵌合環壁３１０及び少なくとも一つの第２凹部３２０を含み、内嵌合環壁と外嵌合座が対応して配設され、第２凹部は内嵌合環壁に位置し、位置決め機構が第１凹部及び第２凹部の間に容設されることでスリーブ及び中空環の位置を定義する。【選択図】図２
0003219785.tif 000002
【実用新案登録請求の範囲】
【請求項１】
スリーブと、中空環と、位置決め機構とを含む取り外し可能な締め付け装置であって、
前記スリーブは、外嵌合座及び少なくとも一つの第１凹部を含み、
第１凹部は前記外嵌合座に位置し、
中空環は前記スリーブと取り外し可能に連結され、
前記中空環は内嵌合環壁と、少なくとも一つの第２凹部とを含み、
前記内嵌合環壁は前記外嵌合座と対応して配合され、
前記第２凹部は前記内嵌合環壁に位置し、
位置決め機構は前記第１凹部と前記第２凹部との間に容設されることで前記スリーブと前記中空環の位置を決めることを特徴とする取り外し可能な締め付け装置。
【請求項２】
前記外嵌合座は複数の縦リブを含み、前記縦リブは互いに一定間隔を持ち、前記内嵌合環壁は複数の位置制限溝を含み、前記位置制限溝は前記縦リブにそれぞれ対応し、前記位置制限溝は前記縦リブに当接して嵌合されることを特徴とする請求項１に記載の取り外し可能な締め付け装置。
【請求項３】
前記外嵌合座の断面が等辺多角形であることを特徴とする請求項２に記載の取り外し可能な締め付け装置。
【請求項４】
前記外嵌合座の横断面が等辺六角形であり、前記縦リブが六つであり、前記位置制限溝が六つであることを特徴とする請求項３に記載の取り外し可能な締め付け装置。
【請求項５】
前記位置決め機構はC型リングを含み、前記C型リングは前記スリーブと前記中空環との間に設置され、前記第１凹部及び前記第２凹部に空間を形成して前記C型リングを容設することを特徴とする請求項３に記載の取り外し可能な締め付け装置。
【請求項６】
前記第１凹部の数は等辺多角形の頂点の数に相当し、前記各第１凹部は前記各縦リブにそれぞれ位置することを特徴とする請求項５に記載の取り外し可能な締め付け装置。
【請求項７】
前記第２凹部は環溝構造であることを特徴とする請求項６に記載の取り外し可能な締め付け装置。
【請求項８】
前記位置決め機構はエラストマーと、トップビーズとを含み、
エラストマーは前記第１凹部に設置され、
トップビーズの一端は前記エラストマーに当接し、他端は前記第２凹部に当接することを特徴とする請求項１に記載の取り外し可能な締め付け装置。
【請求項９】
前記スリーブは軸方向を有し、前記第１凹部は少なくとも二つであり、二つの前記第１凹部は前記外嵌合座の片側に位置し、前記軸方向に沿って一定間隔で配置され、前記第２凹部は少なくとも二つであり、それぞれ二つの前記第１凹部に対応して位置し、前記エラストマーは少なくとも二つであり、二つの前記第１凹部にそれぞれ設置され、前記トップビーズは少なくとも二つであり、一つの前記トップビーズの一端は前記第１凹部に位置する前記エラストマーに当接し、前記トップビーズの他端は前記第１凹部に対応する前記第２凹部に当接することを特徴とする請求項８に記載の取り外し可能な締め付け装置。
【請求項１０】
各前記第１凹部は円盲孔構造であり、各前記第２凹部は楕円盲孔構造であることを特徴とする請求項９に記載の取り外し可能な締め付け装置。
【請求項１１】
前記位置決め機構はエラストマーと、トップビーズとを含み、
エラストマーは前記第２凹部に設置され、
トップビーズの一端は前記エラストマーに当接し、他端は前記第１凹部に当接することを特徴とする請求項１に記載の取り外し可能な締め付け装置。
【考案の詳細な説明】
【技術分野】
【０００１】
本考案は締め付け装置に関し、特に組立できる取り外し可能な締め付け装置に関する。
【背景技術】
【０００２】
近年、ハンドツール製品はますます軽量化の方向へ発展しており、市場の要求に応じて様々な締め付け装置も軽量化と小型化が求められている。しかし、回転締め付け作業の場合、それが回転式ネジ、ナットまたは他の構成部品にかかわらず、締め付け効果を確実にするために最後の締め付けには一定のトルクが必要である。
【０００３】
重量ブロックを有するスリーブが製造業者によって開発され、スリーブを回転させる際に重量ブロックによって発生する慣性により締め付け効果が高まる。しかし、このような重量ブロックは取り外せなく、製造が難しく、収容スペースが大きいという問題点がある。さらに、上述した重量ブロックを有するスリーブは、単一機能しか持たず、その運用性は限られている。
【０００４】
以上より、締め付け装置を有効に改良させ、取り外しが容易で、多用途である等の利点を提供することは、関連業界の目標である。
【考案の概要】
【０００５】
本考案は、スリーブ及び中空環の構造と、取り外しと結合可能な特性により、様々な用途を有する取り外し可能な締め付け装置を提供する。
【０００６】
本考案の一形態により、スリーブ、中空環及び位置決め機構を含む取り外し可能な締め付け装置を提供する。スリーブは外嵌合座及び少なくとも一つの第１凹部を含み、第１凹部は外嵌合座に位置し、中空環とスリーブは取り外し可能に連結され、また、内嵌合環壁及び少なくとも一つの第２凹部を含み、内嵌合環壁と外嵌合座が対応して配合し、第２凹部は内嵌合環壁に位置し、位置決め機構が第１凹部及び第２凹部の間に容設されることでスリーブ及び中空環の位置を定義する。
【０００７】
このように、スリーブ及び中空環は位置決め機構により組立可能であり、スリーブと中空環が組合せられると、駆動工具と接続することにより、衝撃スリーブとして使用される。中空環からスリーブを取り外した後、その内嵌合環壁は他の回転待ち締め付け部品に連結されることにより、回転待ち締め付け部品を回転させる。さらに，スリーブは駆動工具にカバーするように接続されることにより、通常の接続スリーブとして使用されるため、使用の多様性が高まる。
【０００８】
前述のような取り外し可能な締め付け装置の中で、外嵌合座は互いに間隔を持つ複数の縦リブを含み、内嵌合環壁はそれぞれの複数の縦リブに対応する複数の位置制限溝を含み、また、複数の位置制限溝はそれぞれの複数の縦リブの当接嵌合に用いられる。また、外嵌合座の横断面は等辺多角形である。また、外嵌合座の横断面は等辺六角形であり、六つの縦リブ、六つの位置制限溝を有する。さらに、位置決め機構はC型リングを含み、C型リングはスリーブと中空環間に設置され、第１凹部と第２凹部に空間を形成してC型リングを容設する。さらに、第１凹部の数は等辺多角形の頂点の数に相当し、各第１凹部は各縦リブに位置する。さらに、第２凹部は環溝構造である。
【０００９】
前述のような取り外し可能な締め付け装置の中で、位置決め機構はエラストマー及びトップビーズを含み、エラストマーは第１凹部に設置され、トップビーズの一端はエラストマーに当接され、他端は第２凹部に当接される。さらに、スリーブは軸方向を有し、少なくとも二つの第１凹部、少なくとも二つの第２凹部、少なくとも二つのエラストマー、少なくとも二つのトップビーズ、を有し、二つの第１凹部は外嵌合座の片側に位置し、軸方向に沿って一定間隔で配置され、二つ第２凹部はそれぞれ二つの第１凹部に対応する。二つのエラストマーはそれぞれ二つの第１凹部に設置され、トップビーズの一端は第１凹部のエラストマーに当接されるように位置し、トップビーズの他端は第１凹部に対応する第２凹部に当接される。各第１凹部は円盲孔構造であり、各第２凹部は楕円盲孔構造である。さらに、位置決め機構はエラストマーとトップビーズを含み、エラストマーは第２凹部に設置され、トップビーズの一端はエラストマーに当接され、他端は第１凹部に当接される。
【図面の簡単な説明】
【００１０】
【図１】本考案の一つの実施形態の取り外し可能な締め付け装置を示す斜視図である。
【図２】図１の取り外し可能な締め付け装置の分解図である。
【図３】図１の取り外し可能な締め付け装置における３-３線に沿った３-３線断面図である。
【図４】図３の取り外し可能な締め付け装置における４-４線に沿った４-４線断面図である。
【図５】図３の取り外し可能な締め付け装置の中空環の分離を示す図である。
【図６】図１の取り外し可能な締め付け装置のスリーブの応用例を示す図である。
【図７】図１の取り外し可能な締め付け装置の中空環の応用例を示す図である。
【図８】本考案のもう一つの実施形態の取り外し可能な締め付け装置の斜視図である。
【図９】図８の取り外し可能な締め付け装置の分解図である。
【図１０】図８の取り外し可能な締め付け装置における１０-１０線に沿った１０-１０線断面図である。
【図１１】図１０の取り外し可能な締め付け装置における１１-１１に沿った１０-１０線断面図である。
【図１２】本考案のもう一つの実施形態の取り外し可能な締め付け装置の断面図である。
【考案を実施するための形態】
【００１１】
図１、図２、図３、図４、図５、図６及び図７に示すように、取り外し可能な締め付け装置１００は駆動工具５００(図６に示す)に接続することにより、部品を回転させ(図示せず)、且つスリーブ２００、中空環３００及び位置決め機構４００を含む。
【００１２】
スリーブ２００は外嵌合座２１０と少なくとも一つの第１凹部２４０を含み、外嵌合座２１０、第１凹部２４０は外嵌合座２１０に位置し、中空環３００とスリーブ２００は取り外し可能に連結される同時に内嵌合環壁３１０と少なくとも一つの第２凹部３２０を含み、内嵌合環壁３１０と外嵌合座２１０は対応するように配合され、第２凹部３２０は内嵌合環壁３１０に位置し、位置決め機構４００は第１凹部２４０と第２凹部３２０の間に容設されることでスリーブ２００と中空環３００の位置を定義する。
【００１３】
このように、スリーブ２００と中空環３００は位置決め機構４００の組立により、スリーブ２００と中空環３００が組合せられると、駆動工具５００と接続することにより、衝撃スリーブとして使用される。中空環３００からスリーブ２００を取り外した後、その内嵌合環壁３１０は回転待ち締め付け部品に連結されることにより、回転待ち締め付け部品を回転させる。さらに、スリーブ２００は駆動工具５００にカバーするように接続されることにより、通常の接続スリーブとして使用されるため、使用の多様性を増加する。以下、取り外し可能な締め付け装置１００の詳細を説明する。
【００１４】
スリーブ２００は円柱構造であり、軸方向Iを有する。スリーブ２００は駆動端２２０及び締め付け端２３０をさらに含み、駆動端２２０はスチールビーズ位置決め機能のある内側孔を有し、内側孔は駆動工具５００の駆動ヘッド５１０の挿入接続に用いられる。締め付け端２３０は内六角孔を有することにより、取り外し可能に部品と接続して連動させる。このように、駆動ヘッド５１０が回転すると、その連動によりスリーブ２００が回転され、さらにその連動により部品が締め又は緩められる。上述の駆動工具５００は電動レンチ、空気レンチまたは一般的なトルクレンチでも良く、部品はネジ、ナット、ネジなどの素子でも良い。
【００１５】
スリーブ２００の外壁は直径方向に突出して外嵌合座２１０を形成する。外嵌合座２１０は本実施例において、断面が等辺六角形であり、六面を含む(標識せず)。外嵌合座２１０は互いに一定間隔を持つ六つの縦リブ２１１をさらに含み、各縦リブ２１１は二つの面の間に一体接続される。本実施例において、四つの第１凹部２４０の中、二つの第１凹部２４０は外嵌合座２１０の片側に位置し、軸方向Iに沿って一定間隔で配置され、また、二つの第１凹部２４０は外嵌合座２１０の他側に位置し、それぞれ二つの第１凹部２４０と対応する。詳細に説明すると、その中、二つの第１凹部２４０は一つの面上に位置し、もう二つの第１凹部２４０は前述した面に対して互いに向かい合うもう一つの面上に位置し、第１凹部２４０は円盲孔構造でも良い。図示していない実施例において、外嵌合座の横断面は等辺多角形でも良く（例えば、等辺四角形）、外嵌合座は対応する数の複数の縦リブを有する梅花構造でも良い。または、少なくとも二つの第１凹部は外嵌合座の片側に位置し、軸方向に沿って一定間隔で配置されるが、上記の構成に限定されるものではない。
【００１６】
中空環３００の内嵌合環壁３１０の形状は外嵌合座２１０に対応するため、本実施例の内嵌合環壁３１０は六つの内面を含む。内嵌合環壁３１０は六つの縦リブ２１１にそれぞれ対応する六つの位置制限溝３１１をさらに含み、各位置制限溝３１１は一定間隔で六つの面の間に配置される。その中、１２個の第２凹部３２０は楕円盲孔構造であり、各内面上に軸方向Iに沿って一定間隔で二つの第２凹部３２０が設置される。その他の実施例において、四つの第２凹部３２０はそれぞれ四つの第１凹部２４０に対応するように位置するが、上記の説明に限定されるものではない。第２凹部３２０が１２個である場合、中空環３００は任意の角度でスリーブ２００に組み立てられる。さらに、その他の図示していない実施例において、内嵌合環壁の形状は外嵌合座に対応し、内側が四角い構造又は内側が梅花のような構造等でも良く、また、外嵌合座に対応する数の複数の位置制限溝を有する。または、少なくとも二つの第２凹部がそれぞれ二つの第１凹部に対応するが、上記の構成に限定されるものではない。
【００１７】
位置決め機構４００はエラストマー４１０及びトップビーズ４２０をさらに含み、エラストマー４１０は第１凹部２４０に設置され、トップビーズ４２０の一端がエラストマー４１０に当接し、他端は第２凹部３２０に当接する。本実施例において、四つのエラストマー４１０は四つの第１凹部２４０にそれぞれ設置される。四つのトップビーズ４２０の中、一つのトップビーズ４２０の一端は第１凹部２４０に位置するエラストマー４１０に当接し、トップビーズ４２０の他端は前述第１凹部２４０に対応する第２凹部３２０に当接する。その他図示していない実施例において、少なくとも二つのエラストマーは二つの第１凹部にそれぞれ設置され、トップビーズは少なくとも二つである。
【００１８】
すなわち、第１凹部２４０内にはエラストマー４１０が容設され、トップビーズ４２０はエラストマー４１０に押されることで、図３及び図４に示すように、中空環３００がスリーブ２００に組み立てられると、六つの縦リブ２１１は六つの位置制限溝３１１にそれぞれ当接して嵌合することにより、中空環３００とスリーブ２００が相対的に回転することなく、トップビーズ４２０はエラストマー４１０に押され第２凹部３２０に当接する。このように、中空環３００とスリーブ２００の組立を完成できる。
【００１９】
図５に示すように、中空環３００とスリーブ２００を分離する時に、エラストマー４１０が圧縮復位能力を有するため、中空環３００を軸方向Iに沿って下方向へ移動させると、トップビーズ４２０は第２凹部３２０から脱離することにより、中空環３００とスリーブ２００の位置制限関係が解除される。
【００２０】
さらに、外嵌合座２１０は位置制限端部２１２をさらに含み、位置制限端部２１２が外嵌合座２１０の本体が直径方向へ凸出することにより形成される。内嵌合環壁３１０は位置制限端部２１２に対応するノッチ端３１２をさらに含むことにより、當組合中空環３００とスリーブ２００を組み合わせると、中空環３００を締め付け端２３０から軸方向Iに沿って外嵌合座２１０へ移動させ、位置制限端部２１２がノッチ端３１２まで当接すれば、中空環３００の軸方向I位置決めを完成できる。
【００２１】
中空環３００とスリーブ２００は分離できるため、図６に示すように、スリーブ２００は通常の接続スリーブとして駆動工具５００の駆動ヘッド５１０に接続される。図７に示すように、中空環３００はその内嵌合環壁３１０を六角ボルト６００のナット６１０に連結させることにより、六角ボルト６００を回転させ、取り外し可能な締め付け装置１００の応用の柔軟性を高める。内嵌合環壁が他の形状である場合、他の形状の回転待ち締め付け部品と配合できる。
【００２２】
図８、図９、図１０及び図１１に示すように、取り外し可能な締め付け装置１００aはスリーブ２００a、中空環３００a及び位置決め機構４００aを含み、その中、スリーブ２００a及び中空環３００aの構造は図１〜図４に示すスリーブ２００及び中空環３００と大まかに類似する。スリーブ２００aは外嵌合座２１０a及び第１凹部２４０aを含み、中空環３００aは内嵌合環壁３１０a及び第２凹部３２０aを含む。本実施例の位置決め機構４００aの構造は図１〜図４に示す位置決め機構４００と異なるため、スリーブ２００a及び中空環３００aの詳細はスリーブ２００及び中空環３００とわずかに異なる。
【００２３】
具体的に説明すると、位置決め機構４００aはC型リング４１０aを含み、C型リング４１０aはスリーブ２００aと中空環３００aの間に設置され、第１凹部２４０aと第２凹部３２０aには空間を形成してC型リング４１０aを容設する。第１凹部２４０aは六つであり、各第１凹部２４０aは各縦リブ２１１aにそれぞれ位置し、第２凹部３２０aは環溝構造である。その他図示していない実施例において、外嵌合座の断面は等辺多角形であり、第１凹部の数は等辺多角形の頂点の数に相当し、各第１凹部は各縦リブにそれぞれ位置する。
【００２４】
第１凹部２４０aは縦リブ２１１a上の直径方向への溝付き構造であり、六つの縦リブ２１１a上にはすべて第１凹部２４０aが設けられ、第２凹部３２０aは内嵌合環壁３１０aに位置し、内嵌合環壁３１０aを上下の両段に分ける。スリーブ２００aと中空環３００aを組立する前に、まず、C型リング４１０aが外嵌合座２１０aをカバーするように設置し、第１凹部２４０aにより位置制限される。その後、中空環３００aがC型リング４１０aをカバーするように挿入し、C型リング４１０aを直径方向に圧縮させることで変形させる。第２凹部３２０aの位置に対応する空間を形成するため、C型リング４１０aの容置に用いられる。C型リング４１０aが空間内に位置して直径方向へ復位した後、中空環３００aに締め付けされる。このように、スリーブ２００aと中空環３００aの組立を完成できる。逆に、スリーブ２００aと中空環３００aを分離する時には、中空環３００aを軸方向Iに沿って移動させると、再びC型リング４１０aを圧縮して変形させ、解除スリーブ２００aと中空環３００aの位置決め関係が解除される。
【００２５】
図１２に示すように、取り外し可能な締め付け装置１００bはスリーブ２００b、中空環３００b及び位置決め機構４００bを含む。その中、スリーブ２００b及び中空環３００bの構造は、図１〜図４に示すスリーブ２００及び中空環３００と大まかに類似する。スリーブ２００bは駆動端２２０b、締め付け端２３０b、外嵌合座及び第１凹部２４０bを含み、中空環３００bは内嵌合環壁３１０b及び第２凹部３２０bを含み、位置決め機構４００bはエラストマー４１０b及びトップビーズ４２０bを含む。図１〜図４に示す位置決め機構４００bと異なる点は、エラストマー４１０bは第２凹部３２０bに設置され、トップビーズ４２０bの一端はエラストマー４１０bに当接し、他端は第１凹部２４０bに当接する。
【００２６】
位置決め機構４００bにより、スリーブ２００bと中空環３００bを結合できる。スリーブ２００bと中空環３００bを結合する際に、上述の他の実施例に示すように、中空環３００bを軸方向Iに沿って下方向へ移動させると、トップビーズ４２０bは第１凹部２４０bから脱離することにより、中空環３００bとスリーブ２００bの位置制限関係が解除される。
【００２７】
以上、本考案を実施例により説明したが、本考案はこれに限定されるものではなく、本考案の要旨を逸脱しない範囲において種々の態様において実施することが可能である。従って、本考案の保護範囲は、添付の特許出願の範囲によって定義される。
【符号の説明】
【００２８】
１００、１００a  取り外し可能な締め付け装置
１００b  取り外し可能な締め付け装置
２００、２００a、２００b  スリーブ
２１０、２１０a  外嵌合座
２１１、２１１a  縦リブ
２１２  位置制限端部
２２０、２２０b  駆動端
２３０、２３０b  締め付け端
２４０、２４０a、２４０b  第１凹部
３００、３００a、３００b  中空環
３１０、３１０a  内嵌合環壁
３１０b  内嵌合環壁
３１１  位置制限溝 
３１２  ノッチ端
３２０、３２０a、３２０b  第２凹部
４００、４００a、４００b  位置決め機構
４１０、４１０b  エラストマー
４１０a  C型リング
４２０、４２０b  トップビーズ
５００  駆動工具
６００  六角ボルト
６１０  ナット
I  軸方向
【図１】
0003219785.tif 000003
【図２】
0003219785.tif 000004
【図３】
0003219785.tif 000005
【図４】
0003219785.tif 000006
【図５】
0003219785.tif 000007
【図６】
0003219785.tif 000008
【図７】
0003219785.tif 000009
【図８】
0003219785.tif 000010
【図９】
0003219785.tif 000011
【図１０】
0003219785.tif 000012
【図１１】
0003219785.tif 000013
【図１２】
0003219785.tif 000014